(57)【要約】  本発明は、部材同士を精度良く固定することを目的とし、  あなが空いた第１部材のあなに、内壁の断面が非円形の筒状部分を備えた第２部材の筒状部分を入れて第１部材に対して相対的に第２部材を配置する配置過程と、  断面が非円形の棒形状を有し、その棒形状の最大外径が上記第２部材の筒状部分における最小内径よりも大きい棒状治具を筒状部分内に挿入する挿入過程と、  上記棒状治具を上記筒状部分内で回すことによってその筒状部分を押し広げて上記第１部材のあなの中に固定する回動過程とを有する。【特許請求の範囲】
【請求項１】
あなが空いた第１部材と、筒状部分を有する第２部材とを固定する固定方法であって、
前記第２部材が、前記筒状部分として、内壁の断面が非円形の筒状部分を備えたものであり、
前記第１部材のあなに前記第２部材の筒状部分を入れて、第１部材に対して相対的に第２部材を配置する配置過程と、
断面が非円形の棒形状を有し、その棒形状の最大外径が前記第２部材の筒状部分における最小内径よりも大きい棒状治具を該筒状部分内に挿入する挿入過程と、
前記棒状治具を前記筒状部分内で回すことによって該筒状部分を押し広げて前記第１部材のあなの中に固定する回動過程とを有することを特徴とする固定方法。
【請求項２】
前記第１部材が、前記あなとして貫通孔が通ったものであり、
前記配置過程が、前記第２部材を前記貫通孔の両端それぞれに配置する過程であり、
前記挿入過程が、前記貫通孔の両端に配置された第２部材の双方の筒状部分内に１つの棒状治具を挿入する過程であり、
前記回動過程が、複数の第２部材の筒状部分を同時に押し広げる過程であることを特徴とする請求項１記載の固定方法。
【請求項３】
前記配置過程が、複数の前記第１部材それぞれについて、複数の前記第２部材それぞれを配置する過程であり、
前記挿入過程が、複数の第１部材に配置された複数の第２部材の筒状部分内に１つの棒状治具を挿入する過程であり、
前記回動過程が、複数の第２部材の筒状部分を同時に押し広げる過程であることを特徴とする請求項１記載の固定方法。
【請求項４】
前記第２部材が、棒状に延びた形状を有する、一端に、情報記憶媒体の表面に近接あるいは接触して該情報記憶媒体にアクセスするヘッドを保持した、該一端に対する他端に前記筒状部分が設けられたヘッド支持部材であり、
前記第１部材が、棒状に延びた形状を有する、一端に前記あなが空いた、該一端に対する他端側に存在する回動軸を中心に回動するアーム部材であることを特徴とする請求項１記載の固定方法。
【請求項５】
前記第２部材は、前記筒状部分の厚さが、筒の長さ方向の各箇所で等しいものであることを特徴とする請求項１記載の固定方法。
【請求項６】
前記第２部材が、前記筒状部分として、内壁の断面形状が周方向について周期的な筒状部分を備えたものであることを特徴とする請求項１記載の固定方法。
【請求項７】
前記第２部材が、前記筒状部分として、内壁の断面形状が多角形の筒状部分を備えたものであることを特徴とする請求項１記載の固定方法。
【請求項８】
前記第２部材が、前記筒状部分として、内壁に凹凸が設けられた筒状部分を備えたものであることを特徴とする請求項１記載の固定方法。
【請求項９】
前記棒状治具は、前記筒状部分の内壁の断面形状よりも小さい、該断面形状と相似形の断面形状を有するものであることを特徴とする請求項１記載の固定方法。
【請求項１０】
前記棒状治具が、前記筒状部分に挿入された際に、該筒状部分の内壁に対して周方向の各箇所で等間隔となる形状を有するものであることを特徴とする請求項１記載の固定方法。
【請求項１１】
前記棒状治具が、前記筒状部分の硬さ以上の硬さを有するものであることを特徴とする請求項１記載の固定方法。
【請求項１２】
前記棒状治具が、超鋼からなるものであることを特徴とする請求項１記載の固定方法。
【請求項１３】
前記棒状治具が、表面に薄膜がコーティングされたものであることを特徴とする請求項１記載の固定方法。
【請求項１４】
前記第２部材が、前記筒状部分の内壁に薄膜がコーティングされたものであることを特徴とする請求項１記載の固定方法。
【請求項１５】
前記薄膜が、潤滑性の薄膜であることを特徴とする請求項１３または１４記載の固定方法。
【請求項１６】
前記薄膜が、金属薄膜であることを特徴とする請求項１３または１４記載の固定方法。
【請求項１７】
前記薄膜が、窒化チタンの薄膜であることを特徴とする請求項１３または１４記載の固定方法。
【請求項１８】
棒状に延びた形状を有する、一端に、情報記憶媒体の表面に近接あるいは接触して該情報記憶媒体にアクセスするヘッドを保持した、該一端に対する他端に内壁の断面が非円形の筒状部分が設けられたヘッド支持部材と、
棒状に延びた形状を有する、一端にあなが空いた、該一端に対する他端側に存在する回動軸を中心に回動するアーム部材とを備えたことと、
前記ヘッド支持部材の筒状部分が前記アーム部材のあなに入り、該筒状部分が広げられることによって、該ヘッド支持部材が該アーム部材に固定されていることとを特徴とするヘッド支持機構。
【請求項１９】
情報記憶媒体を保持する媒体保持部と、
棒状に延びた形状を有する、一端に、前記情報記憶媒体の表面に近接あるいは接触して該情報記憶媒体にアクセスするヘッドを保持した、該一端に対する他端に内壁の断面が非円形の筒状部分が設けられたヘッド支持部材と、
棒状に延びた形状を有する、一端にあなが空いた、該一端に対する他端側に存在する回動軸を中心に回動するアーム部材とを備えたことと、
前記ヘッド支持部材の筒状部分が前記アーム部材のあなに入り、該筒状部分が広げられることによって、該ヘッド支持部材が該アーム部材に固定されていることとを特徴とする情報記憶装置。
【発明の詳細な説明】
【技術分野】
【０００１】
本発明は、部材同士を固定する固定方法、固定された部材が用いられるヘッド支持機構および情報記憶装置に関する。
【背景技術】
【０００２】
近年、コンピュータの普及に伴って、日常的に多量の情報が取り扱われるようになっている。このような情報は、通常、情報記憶媒体に多数の物理的な印として記録され、その情報記憶媒体上の印と電気的な再生記録信号とを媒介する情報記憶装置によって情報がアクセスされる。【０００３】
このような情報記憶装置の代表的なものとしては、磁気ディスク装置が知られており、磁気ディスク装置では、記憶容量の向上のために情報記憶媒体として複数の磁気ディスクが備えられていることが多い。そのような複数の磁気ディスクは、互いに平行に間隔を開けて共通の回転軸に固定され、回転軸の駆動によって回転される。この磁気ディスクには表裏面に情報が記憶され、回転する磁気ディスクの表裏面に磁気ヘッドが近接して情報アクセスを行う。【０００４】
磁気ディスク装置の磁気ヘッドは、いわゆる浮上式のヘッドであり、磁気ディスク装置には、磁気ヘッドを情報記憶媒体の表面に近接させて保持するヘッド支持機構が組み込まれている。このヘッド支持機構は、金属ブロックから削り出された頑強なキャリッジアーム、ＳＵＳ板からなる柔軟なロードビームなどといった構成部品が組みあわされて一体化されたものである。ヘッド支持機構の構成部品が組み合わされる際には、磁気ヘッドがキャリッジアームに対して最終的に高い精度で固定されることが必要である。【０００５】
図１は、従来のヘッド支持機構における構成部品の固定方法を示す図である。【０００６】
従来の固定方法では、磁気ヘッドと一体に形成されたヘッドスライダ１がサスペンション２の先端に接着され、そのサスペンション２はベースプレート３に溶接などで固定されている。また、キャリッジアーム４はアーム軸５に対し、一体成型あるいは締結などによって固定されている。ベースプレート３には円筒状のボス３ａが設けられ、キャリッジアーム４には円形の穴４ａが設けられている。そのボス３ａが穴４ａに挿入され、ボス３ａの内径よりもやや大きい直径のボール６がボス３ａの中を通されることによってボス３の径が広がって、キャリッジアーム４の穴４ａの中にボス３がカシメられる（例えば特許文献１参照。）。
【特許文献１】特開平９−６３２１９号公報
【発明の開示】
【発明が解決しようとする課題】
【０００７】
しかしながら、このような従来の固定方法では、カシメの際に、キャリッジアームとベースプレートとの間の隙間や、キャリッジアームやベースプレートの反りなどが生じる恐れがあり、それにより、ヘッド支持機構が保持する磁気ヘッドと情報記憶媒体表面との相対間隔に狂いが生じる恐れもあった。このような狂いは、所定のヘッド浮上量が得られないことによる情報アクセスのエラーを誘発する。また、磁気ヘッドが、情報記憶媒体表面と、情報記憶媒体から離れた待避位置との間を行き来するロードアンロード機構付きの装置においては、上記の狂いはロードアンロード時におけるヘッド位置の信頼性の低下を招き、最悪の場合には、磁気ヘッドと情報記憶媒体表面とが接触するヘッドクラッシュなどを典型とする装置障害をもたらす。
【課題を解決するための手段】
【０００８】
本発明は、上記事情に鑑み、部材同士を精度良く固定する固定方法、ヘッド位置の信頼性が高いヘッド支持機構、および動作の安全性が高い情報記憶装置を提供することを目的とする。【０００９】
上記目的を達成する本発明の固定方法は、
あなが空いた第１部材と、筒状部分を有する第２部材とを固定する固定方法であって、
上記第２部材が、上記筒状部分として、内壁の断面が非円形の筒状部分を備えたものであり、
上記第１部材のあなに上記第２部材の筒状部分を入れて、第１部材に対して相対的に第２部材を配置する配置過程と、
断面が非円形の棒形状を有し、その棒形状の最大外径が上記第２部材の筒状部分における最小内径よりも大きい棒状治具をその筒状部分内に挿入する挿入過程と、
上記棒状治具を上記筒状部分内で回すことによってその筒状部分を押し広げて上記第１部材のあなの中に固定する回動過程とを有することを特徴とする。【００１０】
発明者による検討の結果、図１に示す従来の固定方法では、ボール６がボス３ａを通過するときにキャリッジアーム４やベースプレート３に加えられる力が図１の上下方向（ボール６の進行方向に沿う方向）に働き、これによって反りなどが生じていることが分かった。即ち、ボール６が挿入される側では、キャリッジアーム４の穴にボス３ａを押し込む向きの力によって、ベースプレート３には、ボス３ａ以外の部分がキャリッジアーム４から離れる向きの反りが生じる。また、ボール６が出て行く側では、キャリッジアーム４の穴からボス３ａを押し出す向きの力によって、キャリッジアーム４とベースプレート３との間には隙間が生じ、ベースプレート３には、ボス３ａの部分がキャリッジアーム４から離れる向きの反りが生じる。【００１１】
本発明はこのような詳細な検討に基づいて成されたものであり、第１部材および第２部材に対して筒状部分の抜き差し方向の力を生じさせることなくそれら第１部材および第２部材を相互に固定することを実現している。即ち、内壁の断面が非円形の筒状部分に、断面が非円形の棒状治具が挿入されて回されることで、棒状治具の最大外径部分が筒状部分の最小内径部分に当たって筒状部分を押し広げる。このとき、第１部材および第２部材に対して生じる力は、棒状治具の回転方向に沿った力となるので、筒状部分の抜き差し方向には力が生じず、上述したような反りや隙間も生じない。従って、本発明によれば、部材同士を精度良く固定することができる。【００１２】
本発明の固定方法において、
「  上記第１部材が、上記あなとして貫通孔が通ったものであり、
上記配置過程が、上記第２部材を上記貫通孔の両端それぞれに配置する過程であり、
上記挿入過程が、上記貫通孔の両端に配置された第２部材の双方の筒状部分内に１つの棒状治具を挿入する過程であり、
上記回動過程が、複数の第２部材の筒状部分を同時に押し広げる過程である」
という形態は好ましい形態である。また、
「  上記配置過程が、複数の前記第１部材それぞれについて、複数の前記第２部材それぞれを配置する過程であり、
上記挿入過程が、複数の第１部材に配置された複数の第２部材の筒状部分内に１つの棒状治具を挿入する過程であり、
上記回動過程が、複数の第２部材の筒状部分を同時に押し広げる過程である」
という形態も好ましい形態である。【００１３】
これらの好ましい形態の固定方法によれば、複数の第２部材を１つあるいは複数の第１部材に対して一度に固定することができるので作業効率が高い。【００１４】
本発明の固定方法をヘッド支持機構に適用すると、
「  上記第２部材が、棒状に延びた形状を有する、一端に、情報記憶媒体の表面に近接あるいは接触して該情報記憶媒体にアクセスするヘッドを保持した、その一端に対する他端に上記筒状部分が設けられたヘッド支持部材であり、
上記第１部材が、棒状に延びた形状を有する、一端に上記あなが空いた、その一端に対する他端側に存在する回動軸を中心に回動するアーム部材である」
という形態となる。【００１５】
また、本発明の固定方法において、上記第２部材は、上記筒状部分の厚さが、筒の長さ方向の各箇所で等しいものであることが好ましい。これにより、筒の長さ方向に均一なカシメが得られる。【００１６】
また、本発明の固定方法は、「上記第２部材が、上記筒状部分として、内壁の断面形状が周方向について周期的な筒状部分を備えたものである」という形態も好ましい。これにより、筒の周方向に均一なカシメが得られる。【００１７】
また、本発明の固定方法は、
上記第２部材が、上記筒状部分として、内壁の断面形状が多角形の筒状部分を備えたものであってもよく、
上記第２部材が、上記筒状部分として、内壁に凹凸が設けられた筒状部分を備えたものであってもよい。【００１８】
また、本発明の固定方法において、
上記棒状治具は、上記筒状部分の内壁の断面形状よりも小さい、その断面形状と相似形の断面形状を有するものであってもよく
上記棒状治具が、上記筒状部分に挿入された際に、その筒状部分の内壁に対して周方向の各箇所で等間隔となる形状を有するものであってもよい。【００１９】
本発明の固定方法は、上記棒状治具が、上記筒状部分の硬さ以上の硬さを有するものであることが好適であり、典型的には、上記棒状治具が、超鋼からなるものであることが好適である。これにより棒状治具の摩耗が軽減される。【００２０】
また、本発明の固定方法は、
上記棒状治具が、表面に薄膜がコーティングされたものであることが好ましく、
上記第２部材が、上記筒状部分の内壁に薄膜がコーティングされたものであることも好ましい。【００２１】
このような好ましい固定方法においては、
上記薄膜が、潤滑性の薄膜であることや、金属薄膜であることや、窒化チタンの薄膜であるが更に好ましい。【００２２】
このような好ましい固定方法によれば、棒状治具と筒状部分との摩擦による磨耗紛の発生が防がれる。【００２３】
上記目的を達成する本発明のヘッド支持機構は、
棒状に延びた形状を有する、一端に、情報記憶媒体の表面に近接あるいは接触してその情報記憶媒体にアクセスするヘッドを保持した、その一端に対する他端に内壁の断面が非円形の筒状部分が設けられたヘッド支持部材と、
棒状に延びた形状を有する、一端にあなが空いた、ｓの一端に対する他端側に存在する回動軸を中心に回動するアーム部材とを備えたことと、
上記ヘッド支持部材の筒状部分が上記アーム部材のあなに入り、その筒状部分が広げられることによって、ヘッド支持部材がアーム部材に固定されていることとを特徴とする。【００２４】
本発明のヘッド支持機構によれば、ヘッド支持部材とアーム部材とが精度良く固定されており、ヘッド位置の信頼性が高い。【００２５】
上記目的を達成する本発明の情報記憶装置は、
情報記憶媒体を保持する媒体保持部と、
棒状に延びた形状を有する、一端に、上記情報記憶媒体の表面に近接あるいは接触してその情報記憶媒体にアクセスするヘッドを保持した、その一端に対する他端に内壁の断面が非円形の筒状部分が設けられたヘッド支持部材と、
棒状に延びた形状を有する、一端にあなが空いた、その一端に対する他端側に存在する回動軸を中心に回動するアーム部材とを備えたことと、
上記ヘッド支持部材の筒状部分が上記アーム部材のあなに入り、その筒状部分が広げられることによって、ヘッド支持部材がアーム部材に固定されていることとを特徴とする。【００２６】
本発明の情報記憶装置には、ヘッド位置の信頼性が高いヘッド支持機構が組み込まれており、動作の安全性が高い。【００２７】
なお、本発明のヘッド支持機構および情報記憶装置については、ここではその基本形態のみを示すのにとどめるが、これは単に重複を避けるためであり、本発明のヘッド支持機構および情報記憶装置には、上記の基本形態のみではなく、前述した固定方法の各形態に対応する各種の形態が含まれる。
【発明の効果】
【００２８】
以上説明したように、本発明によれば、部材同士を精度良く固定する固定方法、ヘッド位置の信頼性が高いヘッド支持機構、および動作の安全性が高い情報記憶装置が得られる。
【図面の簡単な説明】
【００２９】
【図１】従来の磁気ヘッド支持機構における構成部品の固定方法を示す図である。
【図２】本発明の情報記憶装置の一実施形態に相当する磁気ディスク装置を示す図である。
【図３】ベースプレートの詳細構造図である。
【図４】ヘッド支持機構の固定方法を説明する図である。
【図５】断面形状の第１のバリエーションを示す図である。
【図６】断面形状の第２のバリエーションを示す図である。
【図７】断面形状の第３のバリエーションを示す図である。
【図８】断面形状の第４のバリエーションを示す図である。
【発明を実施するための最良の形態】
【００３０】
以下図面を参照して本発明の実施の形態を説明する。【００３１】
図２は、本発明の情報記憶装置の一実施形態に相当する磁気ディスク装置を示す図であり、この磁気ディスク装置には、本発明のヘッド支持機構の一実施形態が組み込まれている。【００３２】
この図１に示す磁気ディスク装置１００のハウジング１１０には、回転軸１２０、回転軸１２０に装着された磁気ディスク１３０、磁気ディスク１３０の表面に近接して対向する浮上ヘッドスライダ１４０、浮上ヘッドスライダ１４０が先端に固着されてアーム軸１５０を中心に磁気ディスク１３０のディスク面に沿って移動するヘッド支持機構１６０、およびヘッド支持機構１６０を駆動するアクチュエータ１７０が収容されている。ハウジング１１０の内部空間は、図示しないカバーによって閉鎖される。ここで、磁気ディスク１３０は複数枚収容されており、それら複数枚の磁気ディスク１３０は共通の１つの回転軸１２０に固定され、相互に間隔を空けて積み重なった状態となっている。【００３３】
この磁気ディスク装置１００では、磁気ディスク１３０へ情報の記録、および磁気ディスク１３０に記録された情報の再生が行われる。これらの情報の記録および再生にあたっては、磁気回路で構成されたアクチュエータ１７０によってヘッド支持機構１６０が駆動され、浮上ヘッドスライダ１４０が、回転軸１２０の駆動によって回転する磁気ディスク１３０上の所望のトラックに位置決めされる。浮上ヘッドスライダ１４０には、図示しない磁気ヘッドが搭載されており、磁気ヘッドは、磁気ディスク１３０の回転によって、磁気ディスク１３０の各トラックに並ぶ各１ビット領域に順次近接し、それら１ビット領域に対して磁界による情報のアクセスを行う。情報が高密度で記録されるとトラック間隔は狭く、磁気ヘッドはディスク１３０上の各１ビット領域に精度良く近接することが必要であり、ヘッド支持機構１６０は、ヘッド位置の信頼性が高いものであることが必要となる。【００３４】
本実施形態におけるヘッド支持機構１６０は、浮上ヘッドスライダ１４０が先端に接着される、ＳＵＳ板からなる柔軟なロードビーム１６１と、ロードビーム１６１が溶接されるステンレスのベースプレート１６２と、金属ブロックから削り出された頑強なキャリッジアーム１６３とで構成され、ベースプレート１６２とキャリッジアーム１６３とはカシメによって固定される。【００３５】
図３は、ベースプレート１６２の詳細構造図であり、この図のパート(Ａ)には正面図、パート(Ｂ)には側面図が示されている。【００３６】
ベースプレート１６２には筒状のボス１６２ａが設けられており、このボス１６２ａの内壁は断面が６角形状となっている。ボス１６２ａの壁の厚みはボスの長さ方向の各箇所で均一な厚みとなっている。【００３７】
このようなベースプレート１６２をキャリッジアームに固定するための治具として、本実施形態では、断面が６角形状の棒状治具１８０が用意されている。この棒状治具１８０は超鋼で形成されており、断面形状は、ボス１６２ａの内壁の断面形状と相似形でやや小さめとなっている。このため、棒状治具１８０の最大外径（６角形の頂点部分での径）は、ボス１６２ａの最小内径（６角形の辺部分での径）よりも大きい。また、棒状治具１８０の表面とボス１６２ａの内壁には窒化チタン（ＴｉＮ）膜１８１、１６２ｂがコーティングされており、この窒化チタン膜１８１、１６２ｂは、潤滑性を有する金属膜である。本実施形態では、棒状治具１８０の表面とボス１６２ａの内壁との双方に窒化チタン膜がコーティングされているので、棒状治具１８０とボス１６２ａとは同等な硬度を有していることとなる。【００３８】
ベースプレート１６２のボス１６２ａは、図２に示すキャリッジアーム１６３に設けられている貫通孔の中に通されて、棒状治具１８０によって、以下説明するようにカシメられる。【００３９】
図４は、ヘッド支持機構の固定方法を説明する図である。【００４０】
この図４には、図２に示した浮上ヘッドスライダ１４０とロードビーム１６１とベースプレート１６２が接着や溶接によって一体化されたものが、キャリッジアーム１６３に対して固定するべき位置に配置された状態が示されており、ベースプレート１６２のボスはキャリッジアーム１６３の貫通孔内に挿入されている。ここで、浮上ヘッドスライダ１４０とロードビーム１６１とベースプレート１６２が一体化された複合部材は、本発明にいうヘッド支持部材の一例に相当し、キャリッジアーム１６３が、本発明にいうアーム部材の一例に相当する。また、その複合部材をキャリッジアーム１６３に対して配置する過程は、本発明にいう配置過程の一例に相当する。【００４１】
この図４に示す例では、２本のキャリッジアーム１６３に対して４つ（２対）の複合部材が配置されており、このように複合部材が配置されると、その配置がずれないように、図示を省略した治具が、１本のキャリッジアーム１６３を挟んだ１対の複合部材を更に挟むように押さえる。そして、図の矢印Ａに示すように棒状治具１８０が、４つの複合部材に含まれる４つのベースプレート１６２の各ボスを貫通して挿入される。この棒状治具１８０が挿入される過程が、本発明にいう挿入過程の一例に相当する。【００４２】
棒状治具１８０が挿入されると、その棒状治具１８０が、図の矢印Ｂに示すように回される。この棒状治具が回される過程が、本発明にいう回動過程の一例に相当する。棒状治具１８０が回されると、棒状治具１８０の６角形の頂点部分（図３参照）が、ベースプレート１６２の各ボスの内壁を押し広げる。このとき、棒状治具１８０の表面やボスの内壁には図３に示すように窒化チタン膜１８１、１６２ｂがコーティングされているので、棒状治具１８０とボスとの摩擦による磨耗紛の発生が防がれる。【００４３】
棒状治具１８０が回されると、ベースプレート１６２の各ボスの径が同時に広がってキャリッジアーム１６３の貫通孔内にカシメられ、ベースプレート１６２がキャリッジアーム１６３に頑強に固定される。このとき、ベースプレート１６２やキャリッジアーム１６３に掛かる応力の方向は、棒状治具１８０の軸回りの方向となるので、ベースプレート１６２の反りやベースプレート１６２とキャリッジアーム１６３との隙間などの発生は回避され、精度のよい固定が実現される。また、複数（ここでは２対で４つ）のベースプレート１６２を同時に固定することができるので作業効率が高い。【００４４】
以下では、ボスの内壁および棒状治具におけるの断面形状のバリエーションについて説明する。【００４５】
図５は、断面形状の第１のバリエーションを示す図である。【００４６】
この図５に示すバリエーションでは、ベースプレート１６４のボス１６４ａの内壁は、角が取れた略４角形状の断面形状となっており、棒状治具１８２の断面形状は、その略４角形状に対して一定間隔を空けた形状となっている。【００４７】
図６は、断面形状の第２のバリエーションを示す図である。【００４８】
この図６に示すバリエーションでも、ベースプレート１６５のボス１６５ａの内壁は略４角形状の断面形状となっているが、このバリエーションでは、略４角形状の頂点付近でボス１６５ａの内壁が溝状にえぐれている。また、棒状治具１８３の断面形状は、ボス１６５ａの内壁の断面形状に対して一定間隔を空けた形状となっている。【００４９】
この図６に示す断面形状のバリエーションの場合には、図５に示すバリエーションの場合に較べて、棒状治具１８３がボス１６５ａをより大きく押し広げることとなるので、より強固な固定が望まれる場合に適していると考えられる。【００５０】
図７は、断面形状の第３のバリエーションを示す図である。【００５１】
この図７に示すバリエーションでは、ベースプレート１６６のボス１６６ａの内壁に等間隔に６本の突状１６６ｂが設けられており、棒状治具１８４の断面形状は、それらの突状１６６ｂと、突状１６６ｂ間の溝とに対応した凹凸を有する形状となっている。【００５２】
図８は、断面形状の第４のバリエーションを示す図である。【００５３】
この図８に示すバリエーションでは、ベースプレート１６７のボス１６７ａの内壁は、右回りと左回りとでは非対称となる断面形状を有しており、棒状治具１８５の断面形状も同様な非対称となっている。この図８に示すバリエーションでは、棒状治具１８５がこの図で右回りに回されることによってボス１６７ａが徐々に押し広げられることとなり、棒状治具１８５を小さい力で回しても十分に強固な固定が実現されることとなる。【００５４】
以上説明したどのバリエーションであっても、上述した実施形態と同様に、ベースプレートをキャリッジアームに精度良く固定することができる。このため、ヘッド支持機構におけるヘッド位置の信頼性が高く、磁気ディスク装置は安全性や信頼性が高い装置となる。【００５５】
なお、上記実施形態では、本発明の情報記憶装置の一実施形態として磁気ディスク装置が示されているが、本発明の情報記憶装置は、光磁気ディスクが用いられる情報記憶装置であってもよい。【００５６】
また、上記説明では、ボスの内面と棒状治具の表面との双方にコーティングが施されているが、本発明では、どちらか一方にのみコーティングが施されていてもよい。【００５７】
また、上述したベースプレートや棒状治具やコーティング膜の材料は単なる一例であって、本発明は、上述した材料に限定されないことは当然である。【００５８】
また、上記説明では、本発明にいう第１部材およびアーム部材の一例として貫通孔が空いたものが示されているが、本発明にいう第１部材およびアーム部材は、貫通していない穴が空いたものであってもよい。【００５９】
また、上記説明では、ボスの内壁および棒状治具におけるの断面形状のバリエーションとして、回転周期性を有する形状のみが例示されているが、本発明において、このような回転周期性は好ましいものではあるが必須ではない。
【図１】
2007004302.tif 000002
【図２】
2007004302.tif 000003
【図３】
2007004302.tif 000004
【図４】
2007004302.tif 000005
【図５】
2007004302.tif 000006
【図６】
2007004302.tif 000007
【図７】
2007004302.tif 000008
【図８】
2007004302.tif 000009
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
あなが空いた第１部材と、筒状部分を有する第２部材とを固定する固定方法であって、
前記第２部材が、前記筒状部分として、内壁の断面が非円形の筒状部分を備えたものであり、
前記第１部材のあなに前記第２部材の筒状部分を入れて、第１部材に対して相対的に第２部材を配置する配置過程と、
断面が非円形の棒形状を有し、その棒形状の最大外径が前記第２部材の筒状部分における最小内径よりも大きい棒状治具を該筒状部分内に挿入する挿入過程と、
前記棒状治具を前記筒状部分内で回すことによって該筒状部分を押し広げて前記第１部材のあなの中に固定する回動過程とを有することを特徴とする固定方法。
【請求項２】
前記第１部材が、前記あなとして貫通孔が通ったものであり、
前記配置過程が、前記第２部材を前記貫通孔の両端それぞれに配置する過程であり、
前記挿入過程が、前記貫通孔の両端に配置された第２部材の双方の筒状部分内に１つの棒状治具を挿入する過程であり、
前記回動過程が、複数の第２部材の筒状部分を同時に押し広げる過程であることを特徴とする請求項１記載の固定方法。
【請求項３】
前記配置過程が、複数の前記第１部材それぞれについて、複数の前記第２部材それぞれを配置する過程であり、
前記挿入過程が、複数の第１部材に配置された複数の第２部材の筒状部分内に１つの棒状治具を挿入する過程であり、
前記回動過程が、複数の第２部材の筒状部分を同時に押し広げる過程であることを特徴とする請求項１記載の固定方法。
【請求項４】
前記棒状治具が、前記筒状部分の硬さ以上の硬さを有するものであることを特徴とする請求項１記載の固定方法。
【請求項５】
棒状に延びた形状を有する、一端に、情報記憶媒体の表面に近接あるいは接触して該情報記憶媒体にアクセスするヘッドを保持した、該一端に対する他端に内壁の断面が非円形の筒状部分が設けられたヘッド支持部材と、
棒状に延びた形状を有する、一端にあなが空いた、該一端に対する他端側に存在する回動軸を中心に回動するアーム部材とを備えたことと、
前記ヘッド支持部材の筒状部分が前記アーム部材のあなに入り、該筒状部分が広げられることによって、該ヘッド支持部材が該アーム部材に固定されていることとを特徴とするヘッド支持機構。
【請求項６】
情報記憶媒体を保持する媒体保持部と、
棒状に延びた形状を有する、一端に、前記情報記憶媒体の表面に近接あるいは接触して該情報記憶媒体にアクセスするヘッドを保持した、該一端に対する他端に内壁の断面が非円形の筒状部分が設けられたヘッド支持部材と、
棒状に延びた形状を有する、一端にあなが空いた、該一端に対する他端側に存在する回動軸を中心に回動するアーム部材とを備えたことと、
前記ヘッド支持部材の筒状部分が前記アーム部材のあなに入り、該筒状部分が広げられることによって、該ヘッド支持部材が該アーム部材に固定されていることとを特徴とする情報記憶装置。
【手続補正２】
【補正対象書類名】明細書
【補正対象項目名】０００６
【補正方法】変更
【補正の内容】
【０００６】
従来の固定方法では、磁気ヘッドと一体に形成されたヘッドスライダ１がサスペンション２の先端に接着され、そのサスペンション２はベースプレート３に溶接などで固定されている。また、キャリッジアーム４はアーム軸５に対し、一体成型あるいは締結などによって固定されている。ベースプレート３には円筒状のボス３ａが設けられ、キャリッジアーム４には円形の穴４ａが設けられている。そのボス３ａが穴４ａに挿入され、ボス３ａの内径よりもやや大きい直径のボール６がボス３ａの中を通されることによってボス３ａの径が広がって、キャリッジアーム４の穴４ａの中にボス３ａがカシメられる（例えば特許文献１参照。）。
【特許文献１】特開平９−６３２１９号公報
【手続補正３】
【補正対象書類名】明細書
【補正対象項目名】００３２
【補正方法】変更
【補正の内容】
【００３２】
この図２に示す磁気ディスク装置１００のハウジング１１０には、回転軸１２０、回転軸１２０に装着された磁気ディスク１３０、磁気ディスク１３０の表面に近接して対向する浮上ヘッドスライダ１４０、浮上ヘッドスライダ１４０が先端に固着されてアーム軸１５０を中心に磁気ディスク１３０のディスク面に沿って移動するヘッド支持機構１６０、およびヘッド支持機構１６０を駆動するアクチュエータ１７０が収容されている。ハウジング１１０の内部空間は、図示しないカバーによって閉鎖される。ここで、磁気ディスク１３０は複数枚収容されており、それら複数枚の磁気ディスク１３０は共通の１つの回転軸１２０に固定され、相互に間隔を空けて積み重なった状態となっている。
【国際調査報告】
2007004302.tif 000010
2007004302.tif 000011